【手続補正書】
【提出日】平成17年10月3日(2005.10.3)
【手続補正１】
【補正対象書類名】明細書
【補正対象項目名】特許請求の範囲
【補正方法】変更
【補正の内容】
【特許請求の範囲】
【請求項１】  低メルト基材と粘着付与剤を含有するバインダー繊維の組み合わせを含む改良粘着性バインダーであって、前記低メルト基材が低メルトポリマー繊維、二成分繊維の低融点部分、又は両方である前記改良バインダー。
【請求項２】  前記低メルト基材中に粘着促進剤をさらに含む、請求項１記載の改良バインダー。
【請求項３】  前記低メルト基材中に強化剤をさらに含む、請求項１記載の改良バインダー。
【請求項４】  バインダー繊維と吸収剤を含む不織ウェブであって、前記バインダー繊維が粘着付与剤と低メルト基材を含有し、前記低メルト基材が低メルトポリマー繊維、二成分繊維の低融点成分又は両方である前記ウェブ。
【請求項５】  前記低メルト基材中に粘着促進剤をさらに含む、請求項４記載のウェブ。
【請求項６】  前記低メルト基材が強化剤をも含有する、請求項４記載のウェブ。
【手続補正２】
【補正対象書類名】明細書
【補正対象項目名】００４３
【補正方法】変更
【補正の内容】
【００４３】
強化剤を加えた粘着付与剤はダスト形成を減少させた。
このように、上記目的、意図及び利点を完全に満たす、粘着付与剤を含むバインダー繊維とそれから作製されるウェブが本発明によって提供されていることは明らかである。本発明をその特定の実施態様に関連して説明してきたが、上記説明を考慮すると、多くの代替え、修正及び変更が当業者に明らかになることは確かである。したがって、このような代替え、修正及び変更の全てを本発明の要旨及び特許請求の範囲内に入るものとして容認することが意図される。
本発明の各種実施形態は以下の通りである。
１．  低メルト基材と粘着付与剤を含有するバインダー繊維の組み合わせを含む改良粘着性バインダーであって、前記低メルト基材が低メルトポリマー繊維、二成分繊維の低融点部分、又は両方である前記改良バインダー。
２．  前記粘着付与剤がロジン、ロジンエステル、テルペンベース化合物、ピペリレンベース化合物及び炭化水素ベース化合物から成るクラスから選択される、上記第１項に記載の改良バインダー。
３．  前記二成分繊維が高融点部分を有する、上記第１項に記載の改良バインダー。
４．  前記高融点部分がポリアミド、ポリエステル、ポリオレフィン、ポリアクリレート、及びこれらの混合物から成るクラスから選択される、上記第３項に記載の改良バインダー。
５．  前記高融点部分がポリエステルである、上記第４項に記載の改良バインダー。
６．  前記高融点部分がポリオレフィンである、上記第４項に記載の改良バインダー。
７．  前記粘着付与剤が前記低メルト基材の約０．１〜約４０重量％を構成する、上記第１項に記載の改良バインダー。
８．  前記低融点部分が前記二成分繊維の約５重量％〜約７５重量％を構成する、上記第３項に記載の改良バインダー。
９．  前記低メルト基材がポリエチレン、ポリプロピレン、ポリブチレン、ポリエステル、コポリエステル、又はこれらの混合物から成るクラスから選択される、上記第１項に記載の改良バインダー。
１０．  前記ポリエチレンがＨＤＰＥ、ＭＤＰＥ、ＬＤＰＥ、ＬＬＤＰＥ、ＵＬＤＰＥ、又はこれらの混合物から成るクラスから選択される、上記第９項に記載の改良バインダー。
１１．  前記ポリエステルと前記コポリエステルが、ポリブチレンテレフタレート（ＰＢＴ）又はポリトリメチレンテレフタレート（ＰＴＴ）、例えば、１，４−シクロヘキサンジメタノール、１，２−プロパンジオール、１，３−プロパンジオール、１，４−ブタンジオール、２，２−ジメチル−１，３−プロパンジオール、１，６−ヘキサンジオール、１，２−シクロヘキサンジオール、１，４−シクロヘキサンジオール、１，２−シクロヘキサンジメタノール、１，３−シクロヘキサンジメタノール、及び例えばジエチレングリコール、トリエチレングリコール、ジプロピレングリコール、トリプロピレングリコール、若しくはこれらの混合物のような、鎖中に１個以上の酸素原子を含有するジオールから選択される適当なジオール成分；又は例えばイソフタル酸、１，４−シクロヘキサンジカルボン酸、１，３−シクロヘキサンジカルボン酸、コハク酸、グルタル酸、アジピン酸、セバシン酸、１，１２−ドデカン二酸、２，６−ナフタレンジカルボン酸、重安息香酸若しくはこれらの混合物のような、テレフタル酸以外の１種類以上の二酸成分（脂肪族、脂環式若しくは芳香族ジカルボン酸）のようなコモノマーによる、例えばＰＥＴのコポリマーのような、低融点コポリエステルから成るクラスから選択される、上記第９項にの改良バインダー。
１２．  前記低メルトポリマー繊維が実質的に前記低メルト基材及び前記粘着付与剤である、上記第１項に記載の改良バインダー。
１３．  前記低メルト基材中に粘着促進剤をさらに含む、上記第１項に記載の改良バインダー。
１４．  前記粘着促進剤がマレイン酸若しくは無水マレイン酸グラフト化ポリオレフィン、エチレン−アクリル酸コポリマー、又はこれらの組み合わせから成るクラスから選択される、上記第１３項に記載の改良バインダー。
１５．  前記グラフト化ポリオレフィンが前記低メルト基材の約０．０５〜約２．０重量％の範囲内で組込まれたマレイン酸又は無水マレイン酸を含有する、上記第１４項に記載の改良バインダー。
１６．  前記エチレン−アクリル酸コポリマーが前記低メルト基材の約１〜約２０重量％の範囲内で存在する、上記第１４項に記載の改良バインダー。
１７．  前記二成分繊維が高融点部分を有する、上記第１３項に記載の改良バインダー。
１８．  前記高融点部分がポリアミド、ポリエステル、ポリオレフィン、ポリアクリレート及びこれらの混合物から成るクラスから選択される、上記第１７項に記載の改良バインダー。
１９．  前記高融点部分がポリエステルである、上記第１８項に記載の改良バインダー。
２０．  前記高融点部分がポリオレフィンである、上記第１８項に記載の改良バインダー。
２１．  前記低メルト基材中に強化剤をさらに含む、上記第１項に記載の改良バインダー。
２２．  前記強化剤が二酸化チタン、タルク、シリカ、みょうばん、炭酸カルシウム、酸化カルシウム、及び酸化マグネシウムから成るクラスから選択される、上記第２１項に記載の改良バインダー。
２３．  前記強化剤が前記低メルト基材の約０．１〜１．０重量％の範囲内で存在する、上記第２１項に記載の改良バインダー。
２４．  前記二成分繊維が高融点部分を有する、上記第２１項に記載の改良バインダー。
２５．  前記高融点部分がポリアミド、ポリエステル、ポリオレフィン、ポリアクリレート及びこれらの混合物から成るクラスから選択される、上記第２４項に記載の改良バインダー。
２６．  前記高融点部分がポリエステルである、上記第２５項に記載の改良バインダー。
２７．  前記高融点部分がポリオレフィンである、上記第２５項に記載の改良バインダー。
２８．  バインダー繊維と吸収剤を含む不織ウェブであって、前記バインダー繊維が粘着付与剤と低メルト基材を含有し、前記低メルト基材が低メルトポリマー繊維、二成分繊維の低融点成分又は両方である前記ウェブ。
２９．  前記バインダー繊維が前記ウェブの約５〜約２５重量％である、上記第２８項に記載のウェブ。
３０．  前記吸収剤が天然吸収剤、超吸収ポリマー又は両方を含む、上記第２８項に記載のウェブ。
３１．  前記二成分繊維が高融点部分を有する、上記第２８項に記載のウェブ。
３２．  前記高融点部分がポリアミド、ポリエステル、ポリオレフィン、ポリアクリレート及びこれらの混合物から成るクラスから選択される、上記第３１項に記載のウェブ。
３３．  前記高融点部分がポリエステルである、上記第３２項に記載のウェブ。
３４．  前記高融点部分がポリオレフィンである、上記第３２項に記載のウェブ。
３５．  前記粘着付与剤が前記低メルト基材の約０．１〜約４０重量％を構成する、上記第２８項に記載のウェブ。
３６．  前記粘着付与剤がロジン、ロジンエステル、テルペンベース化合物、ピペリレンベース化合物及び炭化水素ベース化合物から成るクラスから選択される、上記第２８項に記載のウェブ。
３７．  前記低メルトポリマー繊維が実質的に低メルト基材と前記粘着付与剤である、上記第２８項に記載のウェブ。
３８．  前記低メルト基材がポリエチレン、ポリプロピレン、ポリブチレン、ポリエステル、コポリエステル、又はこれらの混合物から成るクラスから選択される、上記第２８項に記載のウェブ。
３９．  前記ポリエチレンがＨＤＰＥ、ＭＤＰＥ、ＬＤＰＥ、ＬＬＤＰＥ、ＵＬＤＰＥ、又はこれらの混合物から成るクラスから選択される、上記第３８項に記載のウェブ。
４０．  前記ポリエステルと前記コポリエステルが、ポリブチレンテレフタレート（ＰＢＴ）又はポリトリメチレンテレフタレート（ＰＴＴ）、例えば、１，４−シクロヘキサンジメタノール、１，２−プロパンジオール、１，３−プロパンジオール、１，４−ブタンジオール、２，２−ジメチル−１，３−プロパンジオール、１，６−ヘキサンジオール、１，２−シクロヘキサンジオール、１，４−シクロヘキサンジオール、１，２−シクロヘキサンジメタノール、１，３−シクロヘキサンジメタノール、及び例えばジエチレングリコール、トリエチレングリコール、ジプロピレングリコール、トリプロピレングリコール、若しくはこれらの混合物のような、鎖中に１個以上の酸素原子を含有するジオールから選択される適当なジオール成分；又は例えばイソフタル酸、１，４−シクロヘキサンジカルボン酸、１，３−シクロヘキサンジカルボン酸、コハク酸、グルタル酸、アジピン酸、セバシン酸、１，１２−ドデカン二酸、２，６−ナフタレンジカルボン酸、重安息香酸若しくはこれらの混合物のような、テレフタル酸以外の１種類以上の二酸成分（脂肪族、脂環式若しくは芳香族ジカルボン酸）のようなコモノマーによる、例えばＰＥＴのコポリマーのような、低融点コポリエステルから成るクラスから選択される、上記第３８項に記載のウェブ。
４１．  前記低メルト基材中に粘着促進剤をさらに含む、上記第２８項に記載のウェブ。
４２．  前記粘着促進剤がマレイン酸若しくは無水マレイン酸グラフト化ポリオレフィン、エチレン−アクリル酸コポリマー、又はこれらの組み合わせから成るクラスから選択される、上記第４１項に記載のウェブ。
４３．  前記グラフト化ポリオレフィンが前記低メルト基材の約０．０５〜約２．０重量％の範囲内で組込まれたマレイン酸又は無水マレイン酸を含有する、上記第４２項に記載のウェブ。
４４．  前記エチレン−アクリル酸コポリマーが前記低メルト基材の約１〜約２０重量％の範囲内で存在する、上記第４２項に記載のウェブ。
４５．  前記二成分繊維が高融点部分を有する、上記第４１項に記載のウェブ。
４６．  前記高融点部分がポリアミド、ポリエステル、ポリオレフィン、ポリアクリレート及びこれらの混合物から成るクラスから選択される、上記第４５項に記載のウェブ。
４７．  前記高融点部分がポリエステルである、上記第４６項に記載のウェブ。
４８．  前記高融点部分がポリオレフィンである、上記第４６項に記載のウェブ。
４９．  前記低メルト基材が強化剤をも含有する、上記第２８項に記載のウェブ。
５０．  前記強化剤が二酸化チタン、タルク、シリカ、みょうばん、炭酸カルシウム、酸化カルシウム、及び酸化マグネシウムから成るクラスから選択される、上記第４９項に記載のウェブ。
５１．  前記強化剤が前記低メルト基材の約０．１〜１．０重量％の範囲内で存在する、上記第４９項に記載のウェブ。
５２．  前記二成分繊維が高融点部分を有する、上記第４９項に記載のウェブ。
５３．  前記高融点部分がポリアミド、ポリエステル、ポリオレフィン、ポリアクリレート及びこれらの混合物から成るクラスから選択される、上記第５２項に記載のウェブ。
５４．  前記高融点部分がポリエステルである、上記第５３項に記載のウェブ。
５５．  前記高融点部分がポリオレフィンである、上記第５３項に記載のウェブ。